(57)【要約】【課題】光学ファインダから電子ビューファインダへの切り換えが行われた場合に、見やすいファインダ表示を確認しながらのビデオ撮影を行わせる。【解決手段】ビデオモードを備え、光学ファインダと電子ビューファインダとを切り換え可能であり、ビデオモードでは前記電子ビューファインダ内外の表示手段の少なくともいずれかによりライブビュー表示を行う撮像装置において、ビデオモードに連動して、光学ファインダから電子ビューファインダへの切り換えを行う切換手段（Ｓ１０２〜Ｓ１１１）を有する。【選択図】図５
2010263538.tif 000002
【特許請求の範囲】
【請求項１】
ビデオモードを備え、光学ファインダと電子ビューファインダとを切り換え可能であり、前記ビデオモードでは前記電子ビューファインダ内外の表示手段の少なくともいずれかによりライブビュー表示を行う撮像装置において、
前記ビデオモードに連動して、前記光学ファインダから前記電子ビューファインダへの切り換えを行う切換手段を有することを特徴とする撮像装置。
【請求項２】
前記ビデオモードの設定に連動して、シャッタの開動作、ライブビュー動作の開始、前記光学ファインダへの被写体光束の遮断動作を行った後に、前記光学ファインダから前記電子ビューファインダへの切り換えを行うことを特徴とする請求項１に記載の撮像装置。
【請求項３】
フェイス検知手段を有し、
前記フェイス検知手段によりファインダを覗かれていることが検知された場合は、前記電子ビューファインダ内の表示手段が前記ライブビュー表示を行い、ファインダを覗いていないことが検知された場合は、前記電子ビューファインダ外の表示手段が前記ライブビュー表示を行うことを特徴とする請求項２に記載の撮像装置。
【請求項４】
前記切換手段は、前記光学ファインダの光学系の一部をファインダ光路から退避させ、前記電子ビューファインダの光学系および前記電子ビューファインダ内の表示手段をファインダ光路に挿入することを特徴とする請求項１ないし３のいずれかに記載の撮像装置。
【発明の詳細な説明】
【技術分野】
【０００１】
本発明は、光学ファインダと電子ビューファインダとを切り換え可能な撮像装置に関するものである。
【背景技術】
【０００２】
従来、カメラとビデオとの複合カメラであるデジタル一眼レフカメラにおいて、光学ファインダによる像と電子ビューファインダによる画像をハーフミラーを介して同一ファインダで観察できるように構成したものがあった（特許文献１）。
【先行技術文献】
【特許文献】
【０００３】
【特許文献１】特開平０９−０４６５５９号公報
【発明の概要】
【発明が解決しようとする課題】
【０００４】
上記特許文献１のデジタル一眼レフカメラにおいては、カメラおよびビデオともハーフミラーで重畳表示を行う構成であるため、非常に暗いファインダになってしまっていた。また、カメラとビデオとの視差があり、同一画面のビデオ映像とスチル画像とを撮影することが難しいものであったり、それぞれが異なるレンズを持っていて撮影倍率も一致させたりすることが困難であった。また、光学ファインダと電子ビューファインダの切り換えは、ビデオモードの設定に連動するものではなかった。
【０００５】
（発明の目的）
本発明の目的は、光学ファインダから電子ビューファインダへの切り換えが行われた場合に、見やすいファインダ表示を確認しながらのビデオ撮影を行わせることのできる撮像装置を提供しようとするものである。
【課題を解決するための手段】
【０００６】
上記目的を達成するために、本発明は、ビデオモードを備え、光学ファインダと電子ビューファインダとを切り換え可能であり、前記ビデオモードでは前記電子ビューファインダ内外の表示手段の少なくともいずれかによりライブビュー表示を行う撮像装置において、前記ビデオモードに連動して、前記光学ファインダから前記電子ビューファインダへの切り換えを行う切換手段を有する撮像装置とするものである。
【発明の効果】
【０００７】
本発明によれば、光学ファインダから電子ビューファインダへの切り換えが行われた場合に、見やすいファインダ表示を確認しながらのビデオ撮影を行わせることができる撮像装置を提供できるものである。
【図面の簡単な説明】
【０００８】
【図１】本発明の実施例１に係るＯＶＦ時のデジタル一眼レフカメラの断面図である。
【図２】本発明の実施例１に係る撮影時のデジタル一眼レフカメラの断面図である。
【図３】本発明の実施例１に係るファインダ光学系を示す斜視図である。
【図４】本発明の実施例１に係るデジタル一眼レフカメラを示す背面図である。
【図５】本発明の実施例１に係る主要動作を示すフローチャートである。
【図６】図５の動作の続きを示すフローチャートである。
【図７】本発明の実施例２に係る主要動作を示すフローチャートである。
【図８】図７の動作の続きを示すフローチャートである。
【発明を実施するための形態】
【０００９】
本発明を実施するための最良の形態は、以下の実施例１及び２に示す通りである。
【実施例１】
【００１０】
図１及び図２は、本発明の実施例１に係る撮像装置であるところのデジタル一眼レフカメラの断面図である。詳しくは、図１はファインダで被写体を観察できるＯＶＦ（ＯＶＦとは、Optical View Finderのことであり、光学ファインダを意味することとして以後ＯＶＦと称することにする）モードの状態を示す。また、図２はレリーズボタンの操作がなされて撮影状態になったときを示す図である。
【００１１】
図１において、１はレンズ１ａ，１ｂ，１ｃが組み込まれた撮影レンズ、２は撮影レンズ１を着脱自在にしたカメラ本体である。３は、撮影レンズ１によって集光される被写体光束Ａをファインダの方向へ導くためのメインミラーであり、図示のようにほぼ９０度に被写体光束Ａを折り曲げる。４はピント板であり、撮影レンズ１を介する被写体光束Ａが結像されるようになっている。
【００１２】
上記ピント板４で結像された被写体光束Ａはさらに進み、ペンタプリズム５で左右及び上下反転され、接眼レンズ６，７，８で拡大されて肉眼で観察できるようになっている。これらでＯＶＦを形成している。このＯＶＦは、高精度な撮影レンズ１により結像された被写体光束を接眼レンズで拡大して観察できることより、非常に鮮明できれいな画像を得ることができるものである。
【００１３】
図２は、後述のレリーズボタンの操作が行われて撮影状態になっていて、メインミラー３がアップし、シャッタ９が開放状態になっている。よって、撮影レンズ１を通過した被写体光束Ａは障害物がなくなったので撮像素子１０上に結像され、ここで撮像され、所定の画像処理が施されて不図示の記憶媒体に画像として記録される。またこの状態時には後述するように、撮像素子１０上に結像されて撮像された画像（映像）がＥＶＦとして液晶表示器１５に表示可能である。
【００１４】
図３（ａ）及び図３（ｂ）は、ＯＶＦとＥＶＦとの切り換え方法について説明するための図である。
【００１５】
図３（ａ）に示すＯＶＦ時は、上記したように被写体光束Ａはペンタプリズム５によって上下、左右の反転が行われ、接眼レンズ６，７，８により拡大され、肉眼で観察される。このＯＶＦを図４に示すＥＶＦへ切り換えるには、まず、接眼レンズ６〜８のうちの接眼レンズ６，７を左へ移動させる（図３（ａ）→図３（ｂ））。次に、その空いたスペースに、反射ミラー１１、ＥＶＦレンズ１２，１３，１４及び液晶表示器１５のユニットを図４の状態に移動させることで達成できる。なお、ＥＶＦ時には、撮像素子１０上に結像され、ここで撮像されて所定の画像処理が施された画像が液晶表示器１５に表示される。そして、この画像がＥＶＦレンズ１２〜１４、反射ミラー１１、接眼レンズ８を介して肉眼で観察されることになる。
【００１６】
上記ＥＶＦレンズ１２〜１４は、ＯＶＦの接眼レンズ６〜８のうちの最終面を構成している接眼レンズ８との組み合わせによって、液晶表示器１５を適正に拡大できるように設計されている。この最終面を持つ接眼レンズ８をＯＶＦとＥＶＦとで共有する他の理由としては、この接眼レンズ８は外観カバーと同様にファインダ内へのごみの進入を防止する役目もあるためである。
【００１７】
もし、ＯＶＦからＥＶＦへの切り換え時に最終面を持った接眼レンズ８も切り換えることにすると、必ず外観カバーと接眼レンズ８との間に隙間が出来てしまい、ごみ、埃などが進入してファインダの見えを著しく悪くする。さらには、雨などの水滴も進入することになり、カメラの制御系の故障にも繋がっていくようになることも考えられる。
【００１８】
以上のことから、ＯＶＦとＥＶＦとの切り換えにおいて、最終面を持った接眼レンズ８を、ＯＶＦとＥＶＦとの共有として構成するようにしている。また、反射ミラー１１は、全反射ミラーとして構成できるので、ＥＶＦ表示も明るい見えを確保できることになる。
ＯＶＦとＥＶＦとの切り換えにおいては、接眼レンズ６，７とＥＶＦレンズ１２〜１４および液晶表示器１５とをスライド移動で切り換えるように構成してあり、見えに影響する接眼レンズの光軸ずれの最も少ない切り換え方式としている。このため、切り換えスペースも最小にすることができる。なお、この切り換えにおける動力機構については特に図示していないが、スライド移動という最も単純な駆動なのでその機構は容易に作成できることは言うまでもない。
【００１９】
図４は、上記デジタル一眼レフカメラの背面操作系が判るようにした外観図である。
【００２０】
図４において、接眼レンズ８の直ぐ下に設置されているのは、観察者がファインダを覗き込んでいるかどうかを検知するためのフェイス検知器２０である。また、その下にあるのは外部表示器１６であり、観察者がファインダを覗き込んでいないときには、この外部表示器１６を点灯させ、ライブビュー等の表示を観察できるようにしてある。１７はモードダイアルであり、外部表示器１６に出たメニューを切り換えることに使える。よって、例えばビデオモードへの切り換え時には、このモードダイアル１７によりビデオを選んで、モードセットボタン１８で決定すれば、ビデオモードに切り換えることができる。なお、ビデオモードとは動画撮影モードを意味し、モードセットボタン１８でビデオモードに切り換えると、まず動画撮影準備モードになる。この動画撮影準備モードとは、ファインダをＯＶＦからＥＶＦへ切り換えると共に、メインミラー３をアップさせ、さらにシャッタ９を開放状態にして撮像素子１０を動作させてライブビュー表示を前記ＥＶＦへ表示させることとしている。
【００２１】
１９はビデオモードの押しボタンであり、ビデオモードへの切り換え時にファインダを覗きながらでも出来るように設けられている。この押しボタン１９は、図４で示すように、プッシュプッシュでの切り換えスイッチでも良い。例えば、プッシュプッシュでの切り換えとは、ＯＶＦとして光学ファインダを観察している状態において、ビデオモードへの切換をするために、ビデオモード切換ボタン１９を１回押し込む（プッシュする）とビデオモードに切り換わる。そして、ビデオモードに切り換わった後に再度押しボタン１９を１回押し込むとビデオモードが解除されて通常撮影モードに戻り、ＯＶＦとして光学ファインダが観察できるようになる。２１はレリーズボタンであり、ビデオモード時には、ビデオ録画の開始、中止を行うために使用される。もちろん、通常のスチル撮影時には、レリーズボタンの第１、第２ストローク操作を行うことにより写真を撮影できるものであり、ビデオモード時に共有している。
【００２２】
２２はモードセレクトスイッチであり、通常は撮影のモードセレクトスイッチとして使っているが、ビデオモードへの切り換えにも共有できるものである。このモードセレクトスイッチ２２の選択マークの中にビデオモードを設定するだけでその切り換えができるので、専用ボタン等が設定し難い小型のカメラでも簡単にモード追加が可能となっている。
【００２３】
次に、ビデオモードに切り換える場合について説明する。
【００２４】
まず、ビデオモードを設定する。この設定は、上記の説明からも分かるように、以下の３例のうちのいずれかで可能である。第１の例は、外部表示器１６を確認しながらモードダイアル１７を操作してビデオモードを選択し、モードセットボタン１８を押すことでビデオモードにする。第２の例は、本実施例１ではビデオモード設定のために専用に設けられた押しボタン１９が具備されているので、この押しボタン１９を押すことでビデオモードにする。第３の例は、本実施例１ではモードセレクトスイッチ２２にビデオモードの設定が出来るようにもなっているので、このモードセレクトスイッチ２２のダイアルをビデオモード位置にセットすることでビデオモードにする。なお、ここでは１つのカメラで３つのビデオモードを設定可能な構成にしているが、少なくとも一つを備えていればよいことは言うまでもない。
【００２５】
上記のいずれかの方法でビデオモードが設定されると、カメラの各種の制御を行う不図示のマイクロコンピュータは、まずライブビューの表示器をどれにするかを決定する。具体的には、フェイス検知器２０により観察者がファインダを覗き込んでいるかどうかを検知し、観察者がファインダを覗き込んでいれば、ファインダ内の液晶表示器１５を駆動させておき、観察者が覗き込んでいなければ、外部表示器１６を駆動させておく。
【００２６】
次に、図２のように、ライブビューが出来るように撮像素子１０の前で遮光しているシャッタ９を開き、撮像素子１０のライブビュー駆動を開始する。次いで、図２のように、撮影レンズ１からの被写体光束Ａを撮像素子１０へ入射させるために、メインミラー３をアップさせる。
【００２７】
ここで、メインミラー３をアップさせる。すると、接眼レンズ６〜８で観察できていた被写体光束Ａが見えなくなるが、この後の動作として、ファインダ光路の切り換えを図３（ａ）から図３（ｂ）のように行う際に、接眼レンズ６および７だけを左方向（図３（ｂ）参照）へスライド移動させている。よって、ファインダ光学系が偏芯することでファインダ像が極端に歪んで見えてしまうことを防止している。ファインダ光学系が偏芯について説明を加えると、３枚構成の接眼レンズ系のうち２枚だけスライド移動させるときに瞬間的にファインダ光路の切り換えを行えば、偏芯によるファインダ像の歪みは、ほとんど見えない可能性がある。しかし、一般的に、覗き込んでいるファインダの光学系を一部移動させると、見えに対しては違和感がある。
【００２８】
もし、メインミラー３をアップしないことによりファインダ像をブラックアウトせずに、ファインダ光路の切り換えを行ってしまうと、観察者にはファインダ像が極端に歪んで見える。このため、非常に違和感を覚え、ファインダを見ていられなくなったり、場合によっては立っていられないような目眩症状になったりするので危険である。
【００２９】
これに対し、メインミラー３をアップしてファインダ像をブラックアウトした後に、図３（ａ）から図３（ｂ）へとファインダ光路の切り換えを行う。すると、ファインダ光学系の極端な偏芯収差がブラックアウトのおかげで見えなくなり、違和感を覚えなくて済むようになる。よって、上記のような切り換えを行うようにしている。
【００３０】
さらに、ＯＶＦからＥＶＦへの切り換えにおいて、図３（ｂ）の状態になるまでの見えについては、フェイス検知で説明したように液晶表示器１５は既に起動されていて、しかもメインミラー３がアップしており、シャッタ９も開き、ライブビューも動作状態である。よって、反射ミラー１１が接眼レンズ８の視野範囲内までスライドイ移動した時点から図４のＥＶＦセット完了時までの間ずっと液晶表示器１５の表示する画像（映像）が見えることになり、画面消失時間をもっとも短くすることができる。これについては図６及び図７のフローチャートにより後述する。
【００３１】
ここで、図３（ｂ）のＥＶＦのセット完了までの見えについてであるが、ＯＶＦのときの接眼レンズ６，７がスライド移動するときのような異常な偏芯収差は、ＥＶＦ光学系でも発生する。それは、ＯＶＦのときの接眼レンズ６，７がスライド移動するときには、接眼レンズ６〜８の光軸がずれるようにスライド移動することに対して、ＥＶＦの光学系では、反射ミラー１１によって光軸が約９０度折り曲げられている。このことで、接眼レンズ８とＥＶＦレンズ１２〜１４とは偏芯だけではなく光軸方向に移動していることにもなり、液晶表示器１５の見えとしては、光路切り換え時には、非常に見えが悪くなり、違和感も増大すると考えられる。よって、光路切り換え完了まで、ＥＶＦの照明は切っておいた方が良い。
【００３２】
したがって、光学系の切り換え時には見えとして偏芯収差や視度ずれなどが多発することになる。よって、ビデオモードへの切り換え時には、まず接眼レンズ６，７の移動の前にメインミラー３をアップさせ、ＯＶＦの視野をブラックアウトとしておくことにより、違和感は発生しない。また、ＥＶＦの反射ミラー１１の挿入移動においても偏芯および視度ずれが発生するので、液晶表示器１５の照明は、反射ミラー１１のセットが完了するまで、消灯しておくことで、違和感を解消できるものとなる。
【００３３】
次に、本発明の実施例１に係る主要部分の動作について図５及び図６を用いて説明する。
【００３４】
図５において、ステップＳ１０１より動作を開始し、先ず、ステップＳ１０２では、ビデオモードに設定されているか否かを判定する。なお、ビデオモードの設定方法は上記した３つの方法がある。ここで、ビデオモードが設定されていなければこのステップで待機し、その後ビデオモードが設定されたことを判定するとステップＳ１０３へ進む。
【００３５】
ステップＳ１０３では、フェイス検知器２０により観察者がファインダを覗き込んでいるかを検知し、覗き込んでいると判定した場合はステップＳ１０４へ進む。ステップＳ１０４では、外部表示器１６をＯＦＦにし、続くステップＳ１０５にて、ライブビュー表示用の表示器として液晶表示器１５をＯＮにし、この液晶表示器１５でのＥＶＦ表示を可能にする。その後はステップＳ１０８へ進む。なお、ステップＳ１０７の後もステップＳ１１１のファインダ光路切り換えを通っており、ＥＶＦ表示ＯＦＦでもファインだ光路切り換えを行う理由は、以下の通りである。ＥＶＦ表示ＯＦＦ時は、フェイス検知ＯＦＦ時であり、外部表示を見ているときになるが、ユーザーの動作としてＥＶＦのファインダを何時覗き込むのか予測がつかない。そのために、ファインダ光路はビデオモードであれば常にＥＶＦ側に切り換えておかないと、フェイス検知ＯＮ毎にファインダ光路切り換えが発生してしまう。この動作準備として、フェイス検知ＯＦＦ時でも光路切り換えを行っている。
【００３６】
また、上記ステップＳ１０３にて観察者がファインダを覗き込んでいないと判定した場合はステップＳ１０６へ進み、ライブビュー表示用の表示器として外部表示器１６をＯＮにする。そして、次のステップＳ１０７にて、不必要なＥＶＦ表示を止めるために液晶表示器１５をＯＦＦする。そして、ステップＳ１０８へ進む。なお、節電を考慮しなければ液晶表示器１５をステップＳ１０７で必ずしもＯＦＦにしなくてもよい。
【００３７】
ステップＳ１０８へ進むと、ここではシャッタ９を開き、次のステップＳ１０９にて、ライブビューをスタートさせる。この時点では未だＥＶＦへの切り換えが完了していないのに液晶表示器１５に映像が表示されるが、メインミラー３がアップしていないので、映像はブラックアウト状態である。
【００３８】
次のステップＳ１１０では、メインミラー３をアップさせる。つまり、光学ファインダへの被写体光束を遮断させる遮断動作を行う。ここで、液晶表示器１５に被写体の映像が表示されるようになる。この状態でＯＶＦがブラックアウトされているので、ＯＶＦ用の接眼レンズ６，７をスライド移動させても偏芯収差等の違和感を与えることがなくなる。そこで、次のステップＳ１１１にて、ファインダ切り換えを行うために、ＯＶＦ用の接眼レンズ６，７を図３（ａ）において左方向へスライド移動させる。また、これと同時に、ＥＶＦ用の光学系として、反射ミラー１１、ＥＶＦレンズ１２〜１４および液晶表示器１５を、最終接眼レンズ８の光軸まで左方向へスライド移動させる。これにより、ＯＶＦからＥＶＦへの切り換えが完了する。
【００３９】
次のステップＳ１１２では、ビデオモードから抜けるためにビデオモード設定用のスイッチのいずれかが再度操作されたか否かを判定する。例えば上記ステップＳ１０２にて押しボタン１９によりビデオモードが設定されていた場合は、この押しボタン１９が再度押されたか否かを判定することになる。判定の結果、押しボタン１９が再度押されたことを判定した場合はビデオモードから抜けるためにステップＳ１３３へ進む。
【００４０】
ステップＳ１３３へ進むと、ファインダ光路をＥＶＦからＯＶＦへの復帰のために接眼レンズ６，７およびＥＶＦレンズ系と反射ミラー１１、液晶表示器１５を図３（ｂ）において右方向へスライド移動させる。そして、次のステップＳ１３４にて、メインミラー３をダウンさせる。これにより、ＯＶＦの光路が確保でき、ファインダで被写体を観察できるようになる。その後はステップＳ１３５へ進み、ライブビューをストップさせ、続くステップＳ１３６にて、シャッタ９を閉じ、ステップＳ１３７にて動作を終了する。
【００４１】
上記ステップＳ１１２にてビデオモード設定用のスイッチの一つである押しボタン１９が再押しされていないと判定した場合は、ビデオモードの継続であるとしてステップＳ１１３へ進む。ステップＳ１１３では、スチル写真を撮るかどうかの判定のためにレリーズボタン２１の第１ストロークに連動するスイッチＳＷ１と第２ストロークに連動するスイッチＳＷ２とが一気に押されたかどうかを判定する。スイッチＳＷ１とスイッチＳＷ２とが一気に押し込まれていない場合はステップＳ１１６へ進む。
【００４２】
また、上記ステップＳ１１３にてスイッチＳＷ１とスイッチＳＷ２とが一気に押し込まれたと判定した場合はステップＳ１１４へ進み、スチル写真を撮影し、次のステップＳ１１５にて、撮影したスチル写真を所定の場所に保存し、ステップＳ１１６へ進む。
【００４３】
次のステップＳ１１６では、フェイス検知を行い、観察者がファインダを見ているかどうかの判定を再度行い、ファインダを覗いていればステップＳ１１７へ進み、外部表示器をＯＦＦにする。そして、次のステップＳ１１８にて、ＥＶＦ用の液晶表示器１５の駆動は継続したままとする。その後はステップＳ１２１へ進む。
【００４４】
また、上記ステップＳ１１６にて観察者がファインダを見ていないと判定した場合はステップＳ１１９へ進み、外部表示器１６を駆動させ、次のステップＳ１２０にて、ＥＶＦ用の液晶表示器１５をＯＦＦして、ステップＳ１２１へ進む。
【００４５】
次のステップＳ１２１では、レリーズボタン２１の第１ストロークに連動するスイッチＳＷ１が押されたかどうかを判定し、押されていなければステップＳ１１２へ戻る。その後は、ビデオモード設定用の例えば押しボタン１９の再押しでビデオモードを終了、スイッチＳＷ１とスイッチＳＷ２との一気押しでスチル撮影する、スイッチＳＷ１が押されてビデオの録画をスタートする、のいずれかのシーケンスを選択する待機状態になる。
【００４６】
一方、上記ステップＳ１２１にてスイッチＳＷ１が押されていると判定した場合は、図７のステップＳ１２２へ進み、上記スイッチＳＷ１が押された時点からのライブビューで観察されているビデオの録画をスタートさせる。その後はステップＳ１２３へ進み、スイッチＳＷ１が再押しされているか否かを判定し、再押しされている場合は録画モードから抜けるためにステップＳ１２４へ進み、録画をストップして、ステップＳ１１２へ戻り、上記の待機状態になる。
【００４７】
また、上記ステップＳ１２３にてスイッチＳＷ１の再押しがなされていないと判定した場合は、録画モードを続行する状態であるとして、ステップＳ１２５→Ｓ１２６→Ｓ１２７→Ｓ１３０→Ｓ１２３のように巡回シーケンスとなるように設定してある。この巡回シーケンスは、ステップＳ１３０にてスイッチＳＷ１とスイッチＳＷ２との一気押しがなされておらず、且つ、ステップＳ１２３にてスイッチＳＷ１の再押しされていないことは判定されている間、継続される。なお、上記ステップＳ１２５〜Ｓ１２９での動作は、上記ステップＳ１０３〜Ｓ１０７、あるいは、ステップＳ１１６〜１２０の動作と同様であるので、その詳細は省略する。
【００４８】
上記ステップＳ１３０にてスイッチＳＷ１とスイッチＳＷ２との一気押しがなされたことを判定した場合はステップＳ１３１へ進み、スチル写真を撮影し、次のステップＳ３２にて、撮影したスチル写真を所定の場所に保存する。つまり、録画中でもスチル撮影ができ、保存するようにしてある。その後はステップＳ１２３へ戻り、上記と同様の動作を行う。
【実施例２】
【００４９】
上記の実施例１では、ファインダでの見えに関して違和感が少ない状態で、最もファインダ消失期間を短縮できる構成にしていた。これに対し、本発明の実施例２では、ファインダを覗いていて全く違和感を見せないようにするものである。このために、上記したフェイス検知を行って液晶表示器１５を駆動するタイミングを、図３（ｂ）のファインダ光路の切り換え完了以後にして、ファインダ内がブラックアウトしている状態時に見えの悪い状態が終わるようにしている。
【００５０】
図７及び図８は上記を実現するための、本発明の実施例２に係るデジタル一眼レフカメラの主要部分の動作を示すフローチャートである。なお、デジタル一眼レフカメラの構成は上記実施例１と同様であるので、その説明は省略する。
【００５１】
図７及び図８は、上記実施例１に係る図５及び図６のフローチャートに対応するものであるが、以下にはこれらの違いのある部分のみについて説明する。
【００５２】
ステップＳ２０１より動作を開始し、先ず、ステップＳ２０２では、例えば押しボタン１９によりビデオモードが設定されたか否かを判定し、ビデオモードが設定されるとステップＳ２０３へ進み、シャッタ９を開く。そして、次のステップＳ２０４にて、ライブビューをスタートさせる。
【００５３】
次のステップＳ２０５では、メインミラー３をアップさせる。このことで、ＯＶＦがブラックアウトされているので、次のステップＳ２０６にて、ＯＶＦ用の接眼レンズ６，７をスライド移動させても極端な収差のある視野を見なくても良いように設定してある。また、図３（ａ）から図３（ｂ）のように切り換える際に、上記実施例１では、ファインダ光路の切り換え時にはＥＶＦ用の液晶表示器１５が既に駆動されていて、ファインダの消失時間の最短を行っていた。これに対し、本実施例２では、ステップＳ２０６のファインダ光路の切り換え時には、ＥＶＦ用の液晶表示器１５は未だ駆動されていないので、図３（ｂ）の状態になってもファインダのブラックアウトは維持されている。よって、ＥＶＦレンズ１２〜１４と接眼レンズ８とのレンズ間隔がファインダ光路の切り換え途中では大きく離れていることで、ＥＶＦ用の液晶表示器１５の見えは、非常にボケている状態になるものを見せなくできるようになっている。
【００５４】
以上の点が、上記実施例１との違いである。
【００５５】
上記ステップＳ２０６にてファインダ光路の切り換えが完了した後はステップＳ２０７へ進み、観察者がファインダを覗き込んでいるのかどうかをフェイス検知器２０で判定する。この結果、観察者がファインダを覗き込んでいればステップＳ２０８へ進み、外部表示器１６をＯＦＦして、次のステップＳ２０９にて、ＥＶＦ用の液晶表示器１５を駆動させる。このことで、上記のようなボケた液晶表示ではなく、全く違和感のないＥＶＦの見えを確保することができるようになった。
【００５６】
以下、図７及び図８のステップＳ２１２からステップ２３７までは、上記実施例１に係る図５及び図６のステップＳ１１２からステップ１３７までと同様であるので、これ以上の説明は省略する。
【００５７】
以上の実施例１及び２におけるデジタル一眼レフカメラは、以下の構成要素より成る。ビデオモードを備え、ＯＶＦとＥＶＦとを切り換え可能であり、ビデオモードではＥＶＦ内外の表示器１５，１６（電子ビューファインダ内外の表示手段）の少なくともいずれかによりライブビュー表示を行うものである。このようなデジタル一眼レフカメラは、ビデオモードが設定される際には、ファインダ表示をＯＶＦからＥＶＦへ自動的に切り換える切換手段を有している。
【００５８】
そして、ビデオモード時は、ＥＶＦ用の液晶表示器１５（電子ビューファインダ内の表示手段）あるいは外部表示器１６（電子ビューファインダ外の表示手段）のうちの少なくともいずれかによりライブビュー表示を行うように設定している。なお、上記切換手段は、光学ファインダの光学系の一部をファインダ光路から退避させ、電子ビューファインダの光学系および電子ビューファインダ内の表示手段をファインダ光路に挿入するものである。また、ビデオモードでは、ライブビュー表示中にレリーズボタン２２の第１ストロークに連動するスイッチＳＷ１が押されることで、ビデオ録画を開始するようにしている。また、ビデオモードにおけるビデオ録画中に、スイッチＳＷ１の再押しがなされることにより、ビデオ録画を中止して、ライブビュー表示である録画待機状態になるようにしている。
【００５９】
また、ビデオモード中にスイッチＳＷ１が押された後、一定時間以内にスイッチＳＷ２が押された時は、スチル画像の撮影および保存を行うようにしている。また、ビデオモード中のビデオ録画動作中、あるいは、ライブビュー表示中のいずれの場合でも、スチル画像の撮影および保存を行うようにしている。また、ビデオモードの設定に連動して、シャッタの開動作、ライブビュー動作の開始、メインミラーのアップ動作、ＥＶＦの駆動を行った後にＯＶＦからＥＶＦへの切り換えを行うようにしている。
【００６０】
また、デジタル一眼レフカメラがフェイス検知器２０（フェイス検知手段）を持っていて、ビデオモードの設定時に、接眼レンズを覗いている状態が検出された時に、ＥＶＦの駆動を行うようにしている。また、フェイス検知器２０を持っていて、ビデオモードの設定時に、接眼レンズを覗いている状態が検出されなかった時には、ＥＶＦの駆動は行わずに外部表示器１６を駆動するようにしている。
【００６１】
また、ビデオモードの設定時に、ＥＶＦの駆動を行うタイミングは、ＯＶＦからＥＶＦへの切り換えを行う動作に先行させるようにしている。また、ビデオモードの設定時に、ＯＶＦからＥＶＦへの切り換えを行うには、ＯＶＦの最終接眼レンズを残してその他の接眼レンズ（光学ファインダの光学系の一部）をＯＶＦの光軸に対して直交方向にスライド移動させてファインダ光路から退避させている。このことで、反射ミラー１１でＯＶＦの光軸に直交する光軸を持ったＥＶＦ光学系を最終の接眼レンズ８の光軸に一致させている。つまり、電子ビューファインダの光学系および電子ビューファインダ内の表示手段をファインダ光路に挿入している。
【００６２】
よって、ファインダを覗いてスチル撮影を行っている状態からビデオ撮影に移行した際に、ファインダ表示が消失してしまうことが無く、安定した撮影を行える。換言すれば、スチル撮影からビデオ撮影へ切り換えが行われても、ファインダを覗く構えができ、安定したビデオ撮影及びビデオ中のワンショットスチル撮影が可能になった。したがって、望遠系のような大きなレンズを装着している場合でも、安定したカメラの保持ができ、安定したビデオ撮影が可能になった。
【００６３】
つまり、ファインダを覗いたままで撮影を続行することができるので、安定した構えで且つ見やすいファインダ表示を確認しながらのビデオ撮影を行わせることができるデジタル一眼レフカメラとすることができる。
【００６４】
また、上記のようにファインダが覗かれていることを検知した時だけＥＶＦを点灯させ、ファインダが覗かれていない時は、ＥＶＦを消灯して外部表示器１６を点灯させるようにしているので、電池の消耗を最小限にした省エネルギー効果も有する。
【符号の説明】
【００６５】
６〜８      接眼レンズ
１１        反射ミラー
１２〜１４  ＥＶＦレンズ
１５        液晶表示器
１６        外部表示器
１７        モードダイアル
１８        モードセットボタン
１９        押しボタン
２０        フェイス検知器
２２        モードセレクトスイッチ
【図１】
2010263538.tif 000003
【図２】
2010263538.tif 000004
【図３】
2010263538.tif 000005
【図４】
2010263538.tif 000006
【図５】
2010263538.tif 000007
【図６】
2010263538.tif 000008
【図７】
2010263538.tif 000009
【図８】
2010263538.tif 000010